(57)【要約】【課題】巻胴部の軸方向にわたって均一にロープを巻き掛けることのできるウインチドラムを提供する。【解決手段】巻胴部５２には、巻胴部５２に巻き掛けられて軸方向に隣り合うロープ２２とロープ２２との間を仕切る仕切壁５２ａが形成されている。これにより、巻胴部５２に巻き掛けられるロープ２２を、巻胴部５２の軸方向に位置決めすることができるので、断面形状が変形しやすいロープ２２であっても、巻胴部５２の軸方向にわたって均一にロープ２２を巻き掛けられることが可能となる。【選択図】図６
2019137546.tif 000002
【特許請求の範囲】
【請求項１】
ロープが巻き掛けられる円筒形状の巻胴部を有するウインチドラムであって、
巻胴部には、巻胴部に巻き掛けられて軸方向に隣り合うロープとロープとの間を仕切る仕切壁が形成されている
ウインチドラム。
【請求項２】
仕切壁は、巻胴部の軸方向に互いに間隔をおいて配置され、巻胴部の周方向に沿って径方向外側に延出する複数の壁部を有し、
複数の壁部には、巻胴部の軸方向一方に向かって巻き掛けられるロープと、軸方向他方に向かって巻き掛けられるロープと、を交差させる切欠部が設けられている
請求項１に記載のウインチドラム。
【発明の詳細な説明】
【技術分野】
【０００１】
本発明は、例えば、クレーン装置に用いられるウインチのウインチドラムに関するものである。
【背景技術】
【０００２】
従来、この種のウインチドラムとしては、ロープが巻き掛けられる巻胴部と、巻胴部の軸方向両端部において周方向にわたって巻胴部の外周部から径方向外側に延出するフランジ部と、を有するものが知られている（例えば、特許文献１参照）。
【０００３】
前記ウインチドラムは、ロープが巻胴部の軸方向に隣接するようにロープが巻き掛けられた後、巻き掛けられたロープの上から更にロープが巻き掛けられて、ロープが巻胴部の径方向に積層された状態となる。
【先行技術文献】
【特許文献】
【０００４】
【特許文献１】特開２０００−１９８６７７号公報
【発明の概要】
【発明が解決しようとする課題】
【０００５】
しかし、前記ウインチドラムでは、断面形状が変形しやすい合成繊維等からなるロープが巻き掛けられる場合に、巻胴部に巻き掛けられるロープの断面形状が部分的に異なって、巻胴部の軸方向においてロープが均一に巻き掛けることができない状態が生じ得る。また、前記ウインチドラムでは、下層側に位置するロープが変形して上層側に位置するロープが軸方向にずれることによって、巻胴部の軸方向に均一にロープが巻き掛けることができない状態が生じ得る。前記ウインチドラムは、巻胴部の軸方向に均一にロープが巻き掛けられない場合に、上層側に位置するロープが下層側に位置するロープの間に食い込んだり、巻胴部の軸方向端部以外の位置で巻方向が転換したりするおそれがある。
【０００６】
本発明の目的とするところは、巻胴部の軸方向にわたって均一にロープを巻き掛けることのできるウインチドラムを提供することにある。
【課題を解決するための手段】
【０００７】
本発明は、前記目的を達成するために、ロープが巻き掛けられる円筒形状の巻胴部を有するウインチドラムであって、巻胴部には、巻胴部に巻き掛けられて軸方向に隣り合うロープとロープとの間を仕切る仕切壁が形成されている。
【０００８】
これにより、巻胴部に巻き掛けられて軸方向に隣り合うロープとロープとの間に仕切壁が位置することから、巻胴部に巻き掛けられるロープが、巻胴部の軸方向に位置決めされる。
【発明の効果】
【０００９】
本発明によれば、巻胴部に巻き掛けられるロープを、巻胴部の軸方向に位置決めすることができるので、断面形状が変形しやすいロープであっても、巻胴部の軸方向にわたって均一にロープを巻き掛けることが可能となる。
【図面の簡単な説明】
【００１０】
【図１】本発明の一実施形態を示す移動式クレーンの側面図である。
【図２】ウインチドラムの全体斜視図である。
【図３】図２のＡ矢視図である。
【図４】図２のＢ矢視図である。
【図５】図２のＡ矢視図においてロープが巻き掛けられた状態を説明する図である。
【図６】図２のＢ矢視図においてロープが巻き掛けられる状態を説明する図である。
【発明を実施するための形態】
【００１１】
図１乃至図６は、本発明の一実施形態を示すものである。
【００１２】
本発明のウインチドラムが適用されるウインチを備えた移動式クレーン１は、図１に示すように、一般の道路や作業エリア内を走行するための車体１０と、クレーン作業を行うためのクレーン装置２０と、車体１０の走行及びクレーン装置２０によるクレーン作業の操作を行うためのキャブ３０と、を備えている。クレーン装置２０及びキャブ３０は、車体１０に対して水平方向に旋回可能な旋回台４０に支持され、旋回台４０の幅方向一方にクレーン装置２０が配置され、幅方向他方にキャブ３０が配置されている。
【００１３】
車体１０は、前側及び後側の幅方向両側に設けられた車輪１１と、前側の車輪１１の前方及び後側の車輪１１の後方に設けられたアウトリガ１２と、を備えている。車体１０は、エンジンの駆動力によって走行する。
【００１４】
クレーン装置２０は、車体１０に対して起伏自在に設けられると共に伸縮自在な伸縮ブーム２１と、伸縮ブーム２１に沿って延びると共に伸縮ブーム２１の先端部から垂下されるロープ２２と、ロープ２２の巻き取り及び繰り出しを行うウインチ５０と、伸縮ブーム２１の先端部から垂下されたロープ２２に係止されるフックブロック２３と、を有している。
【００１５】
ロープ２２は、複数の鋼線や合成繊維を撚り合わせることによって形成されている。
【００１６】
ウインチ５０は、旋回台４０における伸縮ブーム２１の基端部に隣接する位置に設けられている。ウインチ５０は、ロープ２２が巻き掛けられるウインチドラム５１を有し、油圧式の図示しないウインチモータによってウインチドラム５１を回転させることで、ロープ２２の巻き取り動作及び繰り出し動作を行う。
【００１７】
ウインチドラム５１は、図２乃至図４に示すように、円筒形状の巻胴部５２と、巻胴部５２の軸方向両端部に設けられた一対のフランジ部５３と、を有している。
【００１８】
巻胴部５２の外周部には、巻き掛けられるロープ２２を巻胴部５２の軸方向に案内するとともに、巻胴部５２の軸方向に隣り合うロープ２２とロープ２２との間を仕切る仕切壁５２ａが設けられている。
【００１９】
仕切壁５２ａは、互いに巻胴部の軸方向に間隔をおいて配置され、巻胴部５２の周方向に沿って径方向外側に延出する複数の壁部５２ａ１からなる。巻胴部５２の周方向に延びる各壁部５２ａ１の両端部の間には、巻胴部５２にロープ２２を螺旋状に巻き掛けるための切欠部５２ａ２が設けられている。
【００２０】
複数の壁部５２ａ１は、それぞれ中央部から両端部に向かって徐々に高さ寸法が小さく形成されている。複数の壁部５２ａ１は、それぞれ巻胴部５２の中心軸から径方向に離れた位置を中心とする円形状に形成されている。
【００２１】
切欠部５２ａ２は、壁部５２ａ１の円形状の径方向中心を巻胴部５２の中心軸に対して偏心させた配置とした結果、巻胴部５２の周方向において壁部５２ａ１が形成されない部分である。巻胴部５２の軸方向に隣り合う切欠部５２ａ２は、巻胴部５２の周方向において互いに対向する位置に形成されている。
【００２２】
以上のように構成されたウインチドラム５１において、ロープ２２は、フランジ部５３と壁部５２ａ１との間、または、壁部５２ａ１と壁部５２ａ１との間に沿って巻き掛けられる。また、ロープ２２は、図５に示すように、切欠部５２ａ２において巻胴部５２の軸方向に隣り合うフランジ部５３と壁部５２ａ１との間、または、壁部５２ａ１と壁部５２ａ１との間に巻き掛けられることで螺旋状に巻き掛けられる。
【００２３】
ロープ２２は、巻胴部５２の軸方向一端部まで巻き掛けられると、巻き掛けられる軸方向の向きが転換され、軸方向一端部から軸方向他端側に向かって螺旋状に巻き掛けられる。このとき、軸方向一端部から軸方向他端側に向かって螺旋状に巻き掛けられるロープ２２は、図６に示すように、切欠部５２ａ２において、軸方向他端部から軸方向一端側に向かって螺旋状に巻き掛けられたロープ２２と交差する。
【００２４】
ロープ２２は、巻胴部５２の軸方向に隣り合うロープ２２と壁部５２ａ１によって仕切られており、フランジ部５３と壁部５２ａ１との間、または、壁部５２ａ１と壁部５２ａ１との間において、巻胴部５２の径方向に積層される。
【００２５】
このように、本実施形態のウインチドラムによれば、巻胴部５２には、巻胴部５２に巻き掛けられて軸方向に隣り合うロープ２２とロープ２２との間を仕切る仕切壁５２ａが形成されている。
【００２６】
これにより、巻胴部５２に巻き掛けられるロープ２２を、巻胴部５２の軸方向に位置決めすることができるので、断面形状が変形しやすいロープ２２であっても、巻胴部５２の軸方向にわたって均一にロープ２２を巻き掛けることが可能となる。
【００２７】
また、仕切壁５２ａは、巻胴部５２の軸方向に互いに間隔をおいて配置され、巻胴部５２の周方向に沿って径方向外側に延出する複数の壁部５２ａ１を有し、複数の壁部５２ａ１の両端部の間には、巻胴部５２の軸方向一方に向かって巻き掛けられるロープ２２と、軸方向他方に向かって巻き掛けられるロープ２２と、を交差させるための切欠部５２ａ２が設けられている。
【００２８】
これにより、壁部５２ａ１と壁部５２ａ１との間には、巻胴部５２の軸方向一方に向かって巻き掛けられるロープ２２と、軸方向他方に向かって巻き掛けられるロープ２２と、を巻き掛けることが可能となるので、従来のウインチドラムと同様に、巻胴部５２の軸方向の向きを変えながら巻胴部５２にロープ２２を巻き掛けることが可能となる。
【００２９】
尚、前記実施形態では、移動式クレーン１のウインチ５０に適用されるウインチドラム５１を示したが、これに限られるものではない。本発明を適用可能なウインチドラムとしては、貨物や船舶を移動させる定置型のウインチのウインチドラムであってもよいし、構造物に吊り下げられて荷物を楊重するためのウインチのウインチドラムであってもよい。
【００３０】
また、前記実施形態では、巻胴部５２に複数の壁部５２ａ１と切欠部５２ａ２を形成することで、巻胴部５２の径方向外側に複数の層を成すようにロープ２２を巻き掛けるウインチドラム５１を示したが、これに限られるものではない。例えば、ロープが巻胴部の軸方向一端部から巻き掛けられ軸方向他端部において巻き終わるウインチドラムに本発明を適用してもよい。この場合には、巻胴部の軸方向一端部から軸方向他端部まで螺旋状に延びる１つの壁部を形成すればよい。
【００３１】
また、前記実施形態では、壁部５２ａ１を、巻胴部５２の中心軸から径方向に離れた位置を中心とする円形状に形成し、巻胴部５２の周方向において壁部５２ａ１が形成されない部分を切欠部５２ａ２としたものを示したが、これに限られるものではない。切欠部５２ａ２は、巻胴部５２の軸方向一方に向かって巻き掛けられるロープ２２と、軸方向他方に向かって巻き掛けられるロープ２２と、を交差させることができればよく、例えば、壁部５２ａ１を巻胴部５２の中心軸と同軸状の円形状に形成し、巻胴部５２の外周部から延出する円形状の一部を切り欠くことによって切欠部を設けてもよい。
【符号の説明】
【００３２】
５１…ウインチドラム、５２…巻胴部、５２ａ…仕切壁、５２ａ１…壁部、５２ａ２…切欠部。
【図１】
2019137546.tif 000003
【図２】
2019137546.tif 000004
【図３】
2019137546.tif 000005
【図４】
2019137546.tif 000006
【図５】
2019137546.tif 000007
【図６】
2019137546.tif 000008